【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
複数のノズルが所定方向にそれぞれ配列された同じインクを吐出するための第１、第２ノズル列がそれぞれ前記所定方向と交差する交差方向に並んで配置されたチップとして第１、第２チップを有する記録ヘッドであって、前記第１チップの前記第１ノズル列の前記所定方向における一方の端部に配列された一部のノズルと、前記第２チップの前記第１ノズル列の前記所定方向における前記第１チップ側の端部に配列された一部のノズルとが、前記交差方向に並び、記録媒体上の同一の領域に記録する重複部を形成するように、前記第１、第２チップが前記所定方向に配列された前記記録ヘッドと前記記録媒体とを前記交差方向に相対的に移動させながら前記記録ヘッドからインクを吐出してドットを形成することにより前記記録媒体に画像を記録するために、前記重複部によって記録する画像の入力画像データを処理するための画像処理装置であって、
前記入力画像データに基づいて、前記第１、第２チップに配置された２つの前記第１ノズル列の前記重複部に対応する第１画像データと、前記第１、第２チップに配置された２つの前記第２ノズル列の前記重複部に対応する第２画像データと、を生成する生成手段と、
第１チップの第１ノズル列の重複部に配列されたノズルによって形成される少なくとも１つのドットと、第２チップの第２ノズル列の重複部に配列されたノズルによって形成される少なくとも１つのドットとが、前記記録媒体上の同一の領域に重ねて形成されるように、前記生成手段により生成された前記第１画像データを前記２つの第１ノズル列に分配し、且つ、前記生成手段により生成された前記第２画像データを前記２つの第２ノズル列に分配する分配手段と、を有することを特徴とする画像処理装置。
【請求項２】
前記第１画像データが示す階調値は、前記第２画像データが示す階調値と同じ値であることを特徴とする請求項１に記載の画像処理装置。
【請求項３】
前記分配手段は、前記画像データに基づく記録を許容する複数の記録許容画素と前記画像データに基づく記録を許容しない複数の非記録許容画素がそれぞれ配置された第１、第２、第３、第４マスクパターンを有し、前記第１マスクパターンを適用して前記第１チップに前記第１画像データを分配し、前記第２マスクパターンを適用して前記第２チップに前記第１画像データを分配し、前記第３マスクパターンを適用して前記第１チップに前記第２画像データを分配し、前記第４マスクパターンを適用して前記第２チップに前記第２画像データを分配することを特徴とする請求項１または２に記載の画像処理装置。
【請求項４】
前記第１マスクパターンに配置された複数の前記記録許容画素のそれぞれと異なる位置に対応する画素が前記第２マスクパターンにおいて前記記録許容画素とされていることを特徴とする請求項３に記載の画像処理装置。
【請求項５】
前記第１マスクパターンに配置された複数の前記記録許容画素のそれぞれの位置に対応する画素が前記第２マスクパターンにおいて前記非記録許容画素とされていることを特徴とする請求項３または４に記載の画像処理装置。
【請求項６】
前記第１マスクパターンに配置された複数の前記記録許容画素のうちの少なくとも１つの位置に対応する画素が前記第３マスクパターンにおいて前記非記録許容画素とされていることを特徴とする請求項３から５のいずれか１項に記載の画像処理装置。
【請求項７】
前記第１チップの前記第１、第２ノズル列の前記重複部の前記所定方向における第１の位置に配置されたノズルにそれぞれ対応する前記第１、第３マスクパターンのそれぞれの記録許容率は、前記第１チップの前記第１、第２ノズル列の前記重複部の前記所定方向における前記第１の位置よりも前記第２チップ側に近い第２の位置に配置されたノズルにそれぞれ対応する前記第１、第３マスクパターンのそれぞれの記録許容率よりも高いことを特徴とする請求項３から６のいずれか１項に記載の画像処理装置。
【請求項８】
前記第１チップの前記第１ノズル列の前記重複部の前記所定方向における前記第２の位置に配置されたノズルに対応する前記第１マスクパターンの記録許容率は、前記第１チップの前記第２ノズル列の前記重複部の前記所定方向における前記第２の位置に配置されたノズルに対応する前記第３マスクパターンの記録許容率と異なる値であることを特徴とする請求項７に記載の画像処理装置。
【請求項９】
複数のノズルが所定方向にそれぞれ配列された同じインクを吐出するための第１、第２ノズル列がそれぞれ前記所定方向と交差する交差方向に並んで配置されたチップとして第１、第２チップを有する記録ヘッドであって、前記第１チップの前記第１ノズル列の前記所定方向における一方の端部に配列された一部のノズルと、前記第２チップの前記第１ノズル列の前記所定方向における前記第１チップ側の端部に配列された一部のノズルとが、前記交差方向に並び、記録媒体上の同一の領域に記録する重複部を形成するように、前記第１、第２チップが前記所定方向に配列された前記記録ヘッドと前記記録媒体とを前記交差方向に相対的に移動させながら前記記録ヘッドからインクを吐出してドットを形成することにより前記記録媒体に画像を記録するために、前記重複部によって記録する画像の入力画像データを処理するための画像処理方法であって、
前記入力画像データに基づいて、前記第１、第２チップに配置された２つの前記第１ノズル列の前記重複部に対応する第１画像データと、前記第１、第２チップに配置された２つの前記第２ノズル列の前記重複部に対応する第２画像データと、を生成する生成工程と、
第１チップの第１ノズル列の重複部に配列されたノズルによって形成される少なくとも１つのドットと、第２チップの第２ノズル列の重複部に配列されたノズルによって形成される少なくとも１つのドットとが、前記記録媒体上の同一の領域に重ねて形成されるように、前記生成工程により生成された前記第１画像データを前記２つの第１ノズル列に分配し、且つ、前記生成工程により生成された前記第２画像データを前記２つの第２ノズル列に分配する分配工程と、を有することを特徴とする画像処理方法。
【請求項１０】
前記第１画像データが示す階調値は、前記第２画像データが示す階調値と同じ値であることを特徴とする請求項９に記載の画像処理方法。
【請求項１１】
前記分配工程は、前記画像データに基づく記録を許容する複数の記録許容画素と前記画像データに基づく記録を許容しない複数の非記録許容画素がそれぞれ配置された第１、第２、第３、第４マスクパターンを有し、前記第１マスクパターンを適用して前記第１チップに前記第１画像データを分配し、前記第２マスクパターンを適用して前記第２チップに前記第１画像データを分配し、前記第３マスクパターンを適用して前記第１チップに前記第２画像データを分配し、前記第４マスクパターンを適用して前記第２チップに前記第２画像データを分配することを特徴とする請求項９または１０に記載の画像処理方法。
【請求項１２】
前記第１チップの前記第１、第２ノズル列の前記重複部の前記所定方向における第１の位置に配置されたノズルにそれぞれ対応する前記第１、第３マスクパターンのそれぞれの記録許容率は、前記第１チップの前記第１、第２ノズル列の前記重複部の前記所定方向における前記第１の位置よりも前記第２チップ側に近い第２の位置に配置されたノズルにそれぞれ対応する前記第１、第３マスクパターンのそれぞれの記録許容率よりも高いことを特徴とする請求項１１に記載の画像処理方法。
【請求項１３】
前記第１チップの前記第１ノズル列の前記重複部の前記所定方向における前記第２の位置に配置されたノズルに対応する前記第１マスクパターンの記録許容率は、前記第１チップの前記第２ノズル列の前記重複部の前記所定方向における前記第２の位置に配置されたノズルに対応する前記第３マスクパターンの記録許容率と異なる値であることを特徴とする請求項１２に記載の画像処理方法。
【手続補正２】
【補正対象書類名】明細書
【補正対象項目名】００１１
【補正方法】変更
【補正の内容】
【００１１】
本発明は、複数のノズルが所定方向にそれぞれ配列された同じインクを吐出するための第１、第２ノズル列がそれぞれ前記所定方向と交差する交差方向に並んで配置されたチップとして第１、第２チップを有する記録ヘッドであって、前記第１チップの前記第１ノズル列の前記所定方向における一方の端部に配列された一部のノズルと、前記第２チップの前記第１ノズル列の前記所定方向における前記第１チップ側の端部に配列された一部のノズルとが、前記交差方向に並び、記録媒体上の同一の領域に記録する重複部を形成するように、前記第１、第２チップが前記所定方向に配列された前記記録ヘッドと前記記録媒体とを前記交差方向に相対的に移動させながら前記記録ヘッドからインクを吐出してドットを形成することにより前記記録媒体に画像を記録するために、前記重複部によって記録する画像の入力画像データを処理するための画像処理装置であって、前記入力画像データに基づいて、前記第１、第２チップに配置された２つの前記第１ノズル列の前記重複部に対応する第１画像データと、前記第１、第２チップに配置された２つの前記第２ノズル列の前記重複部に対応する第２画像データと、を生成する生成手段と、第１チップの第１ノズル列の重複部に配列されたノズルによって形成される少なくとも１つのドットと、第２チップの第２ノズル列の重複部に配列されたノズルによって形成される少なくとも１つのドットとが、前記記録媒体上の同一の領域に重ねて形成されるように、前記生成手段により生成された前記第１画像データを前記２つの第１ノズル列に分配し、且つ、前記生成手段により生成された前記第２画像データを前記２つの第２ノズル列に分配する分配手段と、を有することを特徴とする。